(57)【要約】【課題】互いに異なる通信回線間を接続する場合やエコーキャンセラーが接続されてしまう場合にも、電話端末における受話音声信号の品質を良好に維持し得るネットワーク電話システムを提供する。【解決手段】例えばＩＰ電話端末２−１にて通話がなされるときに、ＩＰ電話端末２−１の制御部３４では、通話相手の電話端末３が接続される内線５に応じて、コンフォートアンプ３２を制御して受話音声信号に重畳すべくコンフォートノイズのノイズ量を調整するようにしている。【選択図】      図２
2006019983.tif 000002
【特許請求の範囲】
【請求項１】
音声パケットを伝送する第１の通信回線に接続され、受信した音声パケットを音声信号に変換し、入力された音声信号を音声パケットに変換して第１の通信回線に送出する電話端末と、
前記第１の通信回線を接続するとともに、音声信号を伝送する第２の通信回線を接続し、呼の設定要求に応じて、前記第１の通信回線上の電話端末相互間、及び前記電話端末と前記第２の通信回線との間を選択的に接続する主装置とを具備し、
前記主装置は、
前記電話端末にて通話がなされるとき、前記通話相手の回線識別情報を前記電話端末に通知する通知手段を備え、
前記電話端末は、
受話音声信号の信号品質を任意の補償量で補償する補償手段と、
前記主装置から通知される前記回線識別情報に基づいて、前記補償手段の補償量を制御する制御手段とを備えたことを特徴とするネットワーク電話システム。
【請求項２】
前記補償手段は、前記受話音声信号に対しノイズ信号を重畳し、
前記制御手段は、前記主装置から通知される前記回線識別情報に基づいて、前記受話音声信号に重畳すべくノイズ量を制御することを特徴とするネットワーク電話システム。
【請求項３】
前記電話端末が前記音声信号及び前記音声パケットに付加される回り込みを消去するエコーキャンセラーに接続されるとき、
前記主装置の通知手段は、前記回線種別情報に前記エコーキャンセラーの消去量を示す消去量情報を付加して前記電話端末に通知し、
前記制御手段は、前記回線種別情報に付加される前記消去量情報に基づいて、前記ノイズ量を制御することを特徴とする請求項２記載のネットワーク電話システム。
【請求項４】
前記制御手段は、前記電話端末に備えられる音量調整キーによって音量調整がなされた場合に、調整された音量に応じて前記ノイズ量を制御することを特徴とする請求項２記載のネットワーク電話システム。
【請求項５】
音声パケットを伝送する第１の通信回線に接続され、受信した音声パケットを音声信号に変換し、入力された音声信号を音声パケットに変換して第１の通信回線に送出する電話端末と、前記第１の通信回線を接続するとともに、音声信号を伝送する第２の通信回線を接続し、呼の設定要求に応じて、前記第１の通信回線上の電話端末相互間、及び前記電話端末と前記第２の通信回線との間を選択的に接続する主装置とを備えたネットワークシステムで使用される電話端末であって、
受話音声信号の信号品質を任意の補償量で補償する補償手段と、
通話時に、前記主装置から通知される前記回線識別情報に基づいて、前記補償手段の補償量を制御する制御手段とを具備したことを特徴とするネットワーク電話システムの電話端末。
【請求項６】
前記補償手段は、前記受話音声信号に対しノイズ信号を重畳し、
前記制御手段は、前記主装置から通知される前記回線識別情報に基づいて、前記受話音声信号に重畳すべくノイズ量を制御することを特徴とする請求項５記載のネットワーク電話システムの電話端末。
【請求項７】
前記主装置が前記音声信号及び前記音声パケットに付加される回り込みを消去するエコーキャンセラーを備え、前記回線種別情報にエコーキャンセラーの消去量を示す消去量情報が付加されるとき、
前記制御手段は、前記回線種別情報に付加される前記消去量情報に基づいて、前記ノイズ量を制御することを特徴とする請求項６記載のネットワーク電話システム。
【請求項８】
前記制御手段は、前記電話端末に備えられる音量調整キーによって音量調整がなされた場合に、調整された音量に応じて前記ノイズ量を制御することを特徴とする請求項６記載のネットワーク電話システムの電話端末。
【発明の詳細な説明】
【技術分野】
【０００１】
この発明は、例えば音声パケットを伝送するＬＡＮ(Local Area Network)に電話端末を接続可能なネットワーク電話システム及びこのネットワーク電話システムで使用される電話端末に関する。
【背景技術】
【０００２】
近年では、ＬＡＮに通話処理機能とメディア情報処理機能とを備えたネットワーク電話端末（ＩＰ（Internet Protocol）電話端末）を接続すると共に、ＬＡＮを主装置を介して公衆網等の外部通信網に接続し、ＩＰ電話端末及び主装置においてプロトコル変換及びデータのフォーマット変換等を行なうことにより、ＩＰ電話端末相互間及びＩＰ電話端末と外部通信網との間で通信を可能にするシステムが提唱されている。
【０００３】
ところで、この種のシステムでは、ＩＰ電話端末とアナログの局線や専用線とを接続する際に、音声信号に回り込みが付加されることになる。そこで、音声信号に付加される回り込みを消去するエコーキャンセラー機能を主装置に持たせることが検討されている（例えば、特許文献１）。
【特許文献１】ＵＳ６，４０４，８８７，Ｂ１。
【発明の開示】
【発明が解決しようとする課題】
【０００４】
ところで、上記エコーキャンセラー機能は、ＩＰ電話端末と局線とを接続する場合には、効果的に動作するが、回り込みの影響が少ないＩＰ電話端末同士を接続する場合（ピアトゥピア）には、逆に不安定になる。
【０００５】
また、ＩＰ電話端末において、受話音声信号にコンフォートノイズを重畳することにより受話音声信号に発生するノイズをマスクする方法もある。しかし、この方法であっても回り込みの影響やノイズが少ないＩＰ電話端末同士を接続する場合には、逆に不安定になる。
【０００６】
そこで、この発明の目的は、互いに異なる通信回線間を接続する場合やエコーキャンセラーが接続されてしまう場合にも、電話端末における受話音声信号の品質を良好に維持し得るネットワーク電話システム及びこのネットワーク電話システムで使用される電話端末を提供することにある。
【課題を解決するための手段】
【０００７】
この発明は、上記目的を達成するために、以下のように構成される。  
音声パケットを伝送する第１の通信回線に接続され、受信した音声パケットを音声信号に変換し、入力された音声信号を音声パケットに変換して第１の通信回線に送出する電話端末と、第１の通信回線を接続するとともに、音声信号を伝送する第２の通信回線を接続し、呼の設定要求に応じて、第１の通信回線上の電話端末相互間、及び電話端末と第２の通信回線との間を選択的に接続する主装置とを具備し、主装置は、電話端末にて通話がなされるとき、通話相手の回線識別情報を電話端末に通知する通知手段を備え、電話端末は、受話音声信号の信号品質を任意の補償量で補償する補償手段と、主装置から通知される前記回線識別情報に基づいて、前記補償手段の補償量を制御する制御手段とを備えるようにしたものである。
【０００８】
この構成によれば、電話端末にて通話がなされるときに、通話相手の電話端末が接続される通信回線に応じて、受話音声信号に対する補償量を制御する機能を電話端末に持たせるようにしたもので、音声信号に重畳されるノイズが少ない第１の通信回線間を接続する場合には、受話音声信号の品質補償を行なわないようにすることができ、第２の通信回線に接続される場合には、受話音声信号に対する品質補償を行なうというように、接続される通信回線ごとに最適な受話音声信号の補償処理を行なうことができる。
【０００９】
音声信号及び前記音声パケットに付加される回り込みを消去するエコーキャンセラーに接続されるとき、主装置の通知手段は、回線種別情報にエコーキャンセラーの消去量を示す消去量情報を付加して電話端末に通知し、制御手段は、回線種別情報に付加される消去量情報に基づいて、ノイズ量を制御することを特徴とする。
【００１０】
この構成によれば、電話端末にて通話を行なう際に、エコーキャンセラーが接続されるとき、このエコーキャンセラーの消去量に応じて受話音声信号に重畳すべくノイズ量が制御されることになるので、エコーキャンセラー接続時においても最適な受話音声信号の補償処理を行なうことができる。
【００１１】
制御手段は、電話端末に備えられる音量調整キーによって音量調整がなされた場合に、調整された音量に応じてノイズ量を制御することを特徴とする。  
この構成によれば、電話端末のユーザ自身により好みの音量に調整された場合にも、最適な受話音声信号の補償処理を行なうことができ、これにより電話端末のユーザが如何なる使用状況で通話を行なう場合にも良好な通話を行なうことができる。
【発明の効果】
【００１２】
以上詳述したようにこの発明によれば、互いに異なる通信回線間を接続する場合やエコーキャンセラーが接続されてしまう場合にも、電話端末における受話音声信号の品質を良好に維持し得るネットワーク電話システム及びこのネットワーク電話システムで使用される電話端末を提供することができる。
【発明を実施するための最良の形態】
【００１３】
以下、この発明の実施形態について図面を参照して詳細に説明する。  
（第１の実施形態）  
図１は、この発明の第１の実施形態に係わる交換システムの概略構成を示す図である。
【００１４】
交換システムは、同図に示すように、主装置１に、複数のＩＰ電話端末２（２−１〜２−ｉ）をそれぞれＬＡＮ(Local Area Network)４を介して任意に接続し、また、複数の電話端末３（３−１〜３−ｊ）をそれぞれアナログの内線５を介して任意に接続して構成されている。
【００１５】
主装置１は、さらに、制御ユニット１１、ＩＰ内線インタフェース回路１２、内線インタフェース回路１３、局線インタフェース回路１４を備えている。そして、制御ユニット１１、ＩＰ内線インタフェース回路１２、内線インタフェース回路１３、局線インタフェース回路１４は、バス１５を介して互いに接続されている。
【００１６】
制御ユニット１１は、ＩＰ内線インタフェース回路１２、内線インタフェース回路１３及び局線インタフェース回路１４を任意に交換接続する。このとき、ＩＰ電話端末２−１と電話端末３−１とを接続した場合に、ＩＰ電話端末２−１に対し内線５を表す回線種別情報を制御情報としてＩＰ電話端末２−１に送出し、電話端末３に対しＬＡＮ４を表す回線種別情報を制御情報として電話端末３に送出する。
【００１７】
ＩＰ内線インタフェース回路１２には、ＩＰ電話端末２が必要に応じて接続される。ＩＰ内線インタフェース回路１２は、接続されたＩＰ電話端末２に関する内線インタフェース動作を行う。また、ＩＰ内線インタフェース回路１２は、上記内線インタフェース動作に係わる種々の制御情報の授受を、バス１５を介して制御ユニット１１との間で行なう。
【００１８】
内線インタフェース回路１３には、電話端末３が必要に応じて接続される。内線インタフェース回路１３は、接続された電話端末３に関する内線インタフェース動作を行う。また、内線インタフェース回路１３は、上記内線インタフェース動作に係わる種々の制御情報の授受を、バス１５を介して制御ユニット１１との間で行う。
【００１９】
局線インタフェース回路１４には、公衆網ＮＷに接続される局線Ｌや専用線ＰＮ及びＩＳＤＮが必要に応じて接続される。局線インタフェース回路１４は、接続された局線Ｌ、専用線ＰＮ及びＩＳＤＮに関するインタフェース動作を行なう。また、局線インタフェース回路１４は、上記インタフェース動作に係わる種々の制御情報の授受を、バス１５を介して制御ユニット１１との間で行なう。
【００２０】
図２は、この発明に係わるＩＰ電話端末２の機能構成を示すブロック図である。  
ＩＰ電話端末２は、スピーカ２１と、マイクロホン２２とを備え、さらに受話系統として、混合器２３と、受話アンプ２４と、Ｄ／Ａ変換器２６と、増幅器２７とを備えている。また、送信系統として増幅器２８とＡ／Ｄ変換器２９とを備えている。
【００２１】
すなわち、通話時に、到来するＩＰパケットから抽出されたデジタルの受話音声信号は、混合器２３によりコンフォートノイズが重畳され、受話アンプ２４で適当な音量レベルに変換された後、Ｄ／Ａ変換器２６でアナログの受話音声信号に変換されて増幅器２７で増幅される。この増幅された受話音声信号は、スピーカ２１から拡声出力される。
【００２２】
また、マイクロホン２２により入力された送話音声信号は、増幅器２８で増幅され、Ａ／Ｄ変換器２９でデジタルの送話音声信号に変換された後、音声パケットに変換されてＬＡＮ４に送出される。
【００２３】
ところで、上記コンフォートノイズは、ノイズ発生器３１により発生され、コンフォートアンプ３２で可変設定されたノイズ量で増幅された後、スイッチ３３を介して混合器２３に供給される。
【００２４】
また、このＩＰ電話端末２において、通話時に、主装置１から回線種別情報が制御部３４に供給される。制御部３４は、回線種別情報に基づいて、例えば通話相手がＬＡＮ４に接続されるＩＰ電話端末である場合には、スイッチ３３をオフにし、通話相手が内線５に接続される電話端末３や局線Ｌ、専用線ＰＮ、ＩＳＤＮである場合に、スイッチ３３をオンにし、コンフォートアンプ３２のノイズ量を内線５、局線Ｌ、専用線ＰＮ、ＩＳＤＮごとに適した量に設定する。
【００２５】
次に、上記構成における動作について説明する。  
上記システムでは、図３に示すように、ＩＰ電話端末２のマイクロホン２２から通話相手に向けて発した音声は、通話相手がアナログの内線５により接続されている場合、２−４変換回路により内線インタフェース回路１３で音の回り込み（側音）が発生する。
【００２６】
ＩＰ電話端末２でアナログ回線に接続して通話した場合、ＩＰ電話端末２と主装置１のゲートウェイの間にＬＡＮ４が入るため、この部分の通信に数十ｍｓｅｃの遅延が発生し側音としてＩＰ電話端末２のスピーカ２１で聞こえる時は約１００ｍｓｅｃ前後の遅延を生じる。これは自分の声が遅れて自分に聞こえることになり非常に通話感が悪くなる。
【００２７】
また、使用している電話機が単独電話機（ＳＬＴ）や専用デジタル電話機（ＤＫＴ）ではハンドセットから話した声がほぼ即時（１ｍｓｅｃ未満）に側音として戻ってくるのでとくに違和感無く通話できる。
【００２８】
他にもＩＳＤＮや専用線ＰＮを使った場合、ＩＰにより他のシステムにつながった場合も、その通話回線の先にアナログ回線がつながることがあるため、ＩＰ電話端末２で通話した場合上記と同じような現象が起こることがある。
【００２９】
また、内線通話でも相手の電話機がスピーカホンの場合、スピーカの音がマイクに入ることから大きな音の回りこみが発生し、それがＩＰ電話端末２に戻る場合がある。この場合も同様にＩＰ電話の側音が遅れて聞こえるように感じる。
【００３０】
このような不具合を防ぐために、ＩＰ電話機接続機能を持つビジネス電話システムでは、図４に示すように、ＩＰ電話端末２と接続する回線や電話端末の間にエコーキャンセラーを設けることでこの側音を小さくする手段がとられている。
【００３１】
このエコーキャンセラーは非線形プロセッサ（ＮＬＰ）とよばれる音声ロス回路とペアで使用されるのが一般的である。エコーキャンセラーは、回り込んでくるエコーを推測して、エコーを打ち消す機能を持っているが、完全にエコーを打ち消しできるわけではなく、打消し残留信号が発生する。
【００３２】
ＮＬＰは一方向から話しているときに、反対側の通話パスにロスを挿入することで、エコーキャンセラーによる打ち消し後の余分な残留信号を聞こえないようにするものである。
【００３３】
しかし、ＮＬＰも欠点があり、小さな音ではあるがノイズ源となってしまう欠点がある。このＮＬＰは通話路にロスを挿入したりロスをなくしたりまたそのロス量を適応的に可変する。明らかに片側が話しているときは、その反対側の音声路にロスが入りつづけるが、双方が話していないときや双方が同時に話しているときは、ロスが高速に入ったり抜けたりすることで同時通話性を確保している。
【００３４】
このロスの高速切り替え動作が、ＩＰ電話端末２の置かれた環境によっては不快なノイズとなって聞こえることがある。例えば、エアコンなどの比較的静かな周囲雑音があるような環境では、周囲雑音がＮＬＰのロスを挿入するしきい値を超えたりロスを抜くしきい値を下回ったりを繰り返すことから、相手側では連続したエアコンのノイズではなく、切り刻まれたノイズ音をきくこととなりカサカサというような不快なノイズとなって聞こえる。
【００３５】
このノイズを押さえようとしきい値などのパラメータを変更すると同時通話感を阻害することとなってしまう。ＮＬＰで発生したノイズは通常の通話信号レベルよりもかなり小さい音であるが、言葉と言葉の隙間の無音部分に聞こえるため官能的に気になる音である。
【００３６】
そこで、この第１の実施形態では、ＩＰ電話端末２において、受話音声信号に小さなホワイトノイズであるコンフォートノイズを混入させることで、上記ＮＬＰノイズを目立たなくするようにしている。
【００３７】
コンフォートノイズは、一定の大きさで受話音声信号に重畳され、そのノイズにより回線からの断続的なノイズをマスクするものである。この方法により、ＮＬＰによるノイズの不快感はわからない程度に軽減することができている。
【００３８】
ところで、例えばピアトゥピアのようなフルデジタルの通話の場合は、通話路にエコーキャンセラーやＮＬＰのような回路が必要ない、または入っていても動作していない非常に高品質な通話ができるのであるが、コンフォートノイズが入っていると逆にその品質が劣化してしまうことになる。
【００３９】
また、コンフォートノイズレベルが一定なために、通話相手からの音声レベルが小さいときにボリュームを上げた場合、コンフォートノイズも大きくなって非常に耳障りな音となるという問題もある。
【００４０】
そこで、通話する回線によって、ＩＰ電話端末２に対し主装置１より回線種類に応じた符号（コード）つまり回線種別情報を制御信号により伝達する。その符号を受信したＩＰ電話端末２−１は、通話相手がＩＰ電話端末２−３の場合、スイッチ３３を開きコンフォートノイズが出ないようにする。
【００４１】
また、内線５の電話端末３−１と通話する時と局線Ｌとで通話する時では受話アンプ２４のゲインが異なっている。このゲイン切り替えも先の符号により行われる。この符号により、制御部３４はコンフォートアンプのノイズ量を変化させる。これにより、通話路に適合したコンフォートノイズレベルをスピーカ２１に提供できる。
【００４２】
この応用として、アナログ回線に接続したままで受話ボリュームを可変した時も、受話ボリューム値に応じてコンフォートボリュームのレベルを可変する。
【００４３】
以上のように上記第１の実施形態では、例えばＩＰ電話端末２−１にて通話がなされるときに、ＩＰ電話端末２−１の制御部３４では、通話相手の電話端末３が接続される内線５に応じて、コンフォートアンプ３２を制御して受話音声信号に重畳すべくコンフォートノイズのノイズ量を調整するようにしている。
【００４４】
従って、通話相手がＩＰ電話端末２−３である場合には、スイッチ３３をオフにして受話音声信号にコンフォートノイズを重畳しないようににすることができ、通話相手が内線５、局線Ｌ、専用線ＰＮやＩＳＤＮである場合には、受話音声信号に対するコンフォートノイズの重畳を行なうというように、接続される通信回線ごとに最適な受話音声信号の補償処理を行なうことができる。これにより、従来のシステムではなしえなかった通話品質の向上を得ることができる。
【００４５】
また、上記第１の実施形態では、ＩＰ電話端末２のユーザ自身により好みの音量に調整された場合にも、最適な受話音声信号の品質補償処理を行なうことができ、これによりＩＰ電話端末２のユーザが如何なる使用状況で通話を行なう場合にも良好な通話が可能となる。
【００４６】
（第２の実施形態）  
図５は、この発明の第２の実施形態に係わる交換システムの概略構成を示す図である。
【００４７】
交換システムは、同図に示すように、主装置６，７を有し、ＬＡＮ８を介して接続されている。主装置６は、複数のＩＰ電話端末Ｔ１（Ｔ１１〜Ｔ１ｎ）をそれぞれＬＡＮ９−１を介して任意に接続する。主装置７は、複数のＩＰ電話端末Ｔ２（Ｔ２１〜Ｔ２ｍ）をそれぞれＬＡＮ９−２を介して任意に接続する。
【００４８】
主装置６は、さらに、制御ユニット６１、ＩＰ内線インタフェース回路６２、ＩＰネットワークインタフェース回路６３、局線インタフェース回路６４を備えている。そして、制御ユニット６１、ＩＰ内線インタフェース回路６２、ＩＰネットワークインタフェース回路６３、局線インタフェース回路６４は、バス６５を介して互いに接続されている。
【００４９】
制御ユニット６１は、ＩＰ内線インタフェース回路６２、ＩＰネットワークインタフェース回路６３及び局線インタフェース回路６４を任意に交換接続する。また、通話相手に対し回線種別情報を通知する。
【００５０】
ＩＰネットワークインタフェース回路６３には、ＬＡＮ８が必要に応じて接続される。ＩＰネットワークインタフェース回路６３は、接続されたＬＡＮ８に関する内線インタフェース動作を行う。また、ＩＰネットワークインタフェース回路６３は、上記内線インタフェース動作に係わる種々の制御情報の授受を、バス６５を介して制御ユニット６１との間で行う。
【００５１】
局線インタフェース回路６４には、公衆網ＮＷ−１に接続される局線Ｌが必要に応じて接続される。局線インタフェース回路６４は、接続された局線Ｌに関するインタフェース動作を行なう。また、局線インタフェース回路６４は、上記インタフェース動作に係わる種々の制御情報の授受を、バス６５を介して制御ユニット６１との間で行なう。
【００５２】
ところで、上記ＩＰネットワークインタフェース回路６３には、音声信号に付加される回り込みを消去するエコーキャンセラー６３１が設けられている。
【００５３】
一方、主装置７は、制御ユニット７１、ＩＰ内線インタフェース回路７２、ＩＰネットワークインタフェース回路７３、局線インタフェース回路７４を備えている。そして、制御ユニット７１、ＩＰ内線インタフェース回路７２、ＩＰネットワークインタフェース回路７３、局線インタフェース回路７４は、バス７５を介して互いに接続されている。
【００５４】
制御ユニット７１は、ＩＰ内線インタフェース回路７２、ＩＰネットワークインタフェース回路７３及び局線インタフェース回路７４を任意に交換接続する。
【００５５】
ところで、上記ＩＰ内線インタフェース回路７２及びＩＰネットワークインタフェース回路７３には、音声信号に付加される回り込みを消去するエコーキャンセラー７２１，７３１が設けられている。
【００５６】
なお、上記ＩＰ電話端末Ｔ１１〜Ｔ１ｎ，Ｔ２１〜Ｔ２ｍについては、上記ＩＰ電話端末２−１〜２−ｉと同一機能であるので詳細な説明を省略する。
【００５７】
次に、以上のような構成における動作について説明する。  
いま、例えばＩＰ電話端末Ｔ１１において公衆網ＮＷ−２の加入者電話端末に対する発信が行われ、これに応じてＬＡＮ９−１から着信呼が主装置６に到来したとする。すると、その着信呼はＩＰ内線インタフェース回路６２で検出されて、バス６５を介して制御ユニット６１に通知される。
【００５８】
そして、制御ユニット６１は、通知された着信呼から着信先のダイヤル番号を分析し、この分析結果により着信先が主装置７であるか否かの判断を行う。ここで、着信先が主装置７であると判断した場合に、ＩＰ電話端末Ｔ１１に対し公衆網ＮＷ−２を示す回線種別情報と、エコーキャンセラー６３１，７３１それぞれの打消量を示す打消量情報とを通知する。
【００５９】
すると、ＩＰ電話端末Ｔ１１では、回線種別情報及び打消量情報に基づいて、受話音声信号に重畳されるコンフォートノイズのノイズ量が調整されることになる。
【００６０】
以上のように上記第２の実施形態であれば、ＩＰ電話端末Ｔ１１にて通話を行なう際に、エコーキャンセラー６３１，７３１が接続されるとき、これらエコーキャンセラー６３１，７３１の消去量に応じて受話音声信号に重畳すべくコンフォートノイズのノイズ量が制御されることになるので、エコーキャンセラー接続時においても最適な受話音声信号の品質補償処理を行なうことができる。
【００６１】
（その他の実施形態）  
なお、この発明は上記各実施形態に限定されるものではない。例えば、上記各実施形態では、コンフォートノイズを受話音声信号に重畳する例について説明した。しかしこれに限ることなく、コンフォートノイズ以外の受話音声信号の品質補償を行なうものを用いてもよい。
【００６２】
上記第２の実施形態では、２つの主装置間を接続した例について説明したが、２以上の多数の主装置を接続するようにしてもよい。
【００６３】
その他、システムの構成や種類、主装置の構成や種類、ＩＰ電話端末の構成、受話音声信号の補償手順等についても、この発明の要旨を逸脱しない範囲で種々変形して実施できる。
【図面の簡単な説明】
【００６４】
【図１】この発明の第１の実施形態に係わる交換システムの概略構成を示す図。
【図２】同第１の実施形態におけるＩＰ電話端末の機能構成を示すブロック図。
【図３】以前に考えられていたＩＰ電話端末における通話動作例を説明するために示す図。
【図４】以前に考えられていたＩＰ電話端末における受話音声信号の品質補償対策を説明するための図。
【図５】この発明の第２の実施形態に係わる交換システムの概略構成を示す図。
【符号の説明】
【００６５】
１，６，７…主装置、２−１〜２−ｉ…ＩＰ電話端末、３…電話端末、４，８，９…ＬＡＮ、５…内線、１１，６１…制御ユニット、１２…ＩＰ内線インタフェース回路、１３…内線インタフェース回路、１４…局線インタフェース回路、１５…バス、２１…スピーカ、２２…マイクロホン、２３…混合器、２４…受話アンプ、２６…Ｄ／Ａ変換器、２７…増幅器、２９…Ａ／Ｄ変換器、３１…ノイズ発生器、３２…コンフォートアンプ、３３…スイッチ、３４…制御部、６３１，７２１，７３１…エコーキャンセラー、ＮＷ…公衆網、Ｌ…局線、ＰＮ…専用線。
【図１】
2006019983.tif 000003
【図２】
2006019983.tif 000004
【図３】
2006019983.tif 000005
【図４】
2006019983.tif 000006
【図５】
2006019983.tif 000007